(57)【要約】【課題】画像処理ジョブの履歴を活用することが可能な技術を提供する。【解決手段】情報処理装置は、実行済みの画像処理ジョブに係るジョブ履歴情報を格納する。ジョブ履歴情報は、入力画像と当該入力画像に対して施された画像処理と当該入力画像に対する当該画像処理によって生成された出力画像とを関連づけた情報である。また、情報処理装置は、ジョブ履歴情報に基づいて、入力画像（「画像０１」）に対して画像処理（「高彩度（高彩度化処理）」）が施されて出力画像（「画像１１」）が生成された旨を示す画面であるジョブ履歴画面ＪＧを操作パネルＰＮに表示する。【選択図】図４
2014135644.tif 000002
【特許請求の範囲】
【請求項１】
情報処理装置であって、
実行済みの画像処理ジョブに係るジョブ履歴情報であって、入力画像と前記入力画像に対して施された画像処理と前記入力画像に対する前記画像処理によって生成された出力画像とを関連づけた情報であるジョブ履歴情報を格納する格納手段と、
前記ジョブ履歴情報に基づいて、前記入力画像に対して前記画像処理が施されて前記出力画像が生成された旨を示す画面であるジョブ履歴画面を表示部に表示する表示制御手段と、
を備えることを特徴とする情報処理装置。
【請求項２】
請求項１に記載の情報処理装置において、
前記ジョブ履歴画面は、前記出力画像の格納先をも示す画面であることを特徴とする情報処理装置。
【請求項３】
請求項１または請求項２に記載の情報処理装置において、
前記ジョブ履歴画面は、
少なくとも１つの入力画像の情報をそれぞれ個別に示す少なくとも１つの入力画像個別表示領域を含む入力画像群表示領域と、
少なくとも１つの画像処理の情報をそれぞれ個別に示す少なくとも１つの画像処理個別表示領域を含む画像処理群表示領域と、
少なくとも１つの出力画像の情報をそれぞれ個別に示す少なくとも１つの出力画像個別表示領域を含む出力画像群表示領域と、
を有する画面であることを特徴とする情報処理装置。
【請求項４】
請求項３に記載の情報処理装置において、
前記出力画像群表示領域は、前記少なくとも１つの出力画像のそれぞれの格納先を個別に示す少なくとも１つの格納先個別表示領域を含むことを特徴とする情報処理装置。
【請求項５】
請求項３または請求項４に記載の情報処理装置において、
前記表示制御手段は、前記少なくとも１つの入力画像に対応する前記少なくとも１つの入力画像個別表示領域のうち、一の入力画像に対応する一の入力画像個別表示領域への操作入力が受け付けられると、前記ジョブ履歴画面において、前記一の入力画像に対応する前記一の入力画像個別表示領域と前記一の入力画像に施された一の画像処理に対応する一の画像処理個別表示領域との連関を線で表現するとともに、前記一の画像処理個別表示領域と前記一の入力画像に対する前記一の画像処理によって生成された一の出力画像に対応する一の出力画像個別表示領域との連関を線で表現することを特徴とする情報処理装置。
【請求項６】
請求項３または請求項４に記載の情報処理装置において、
前記表示制御手段は、前記少なくとも１つの画像処理に対応する前記少なくとも１つの画像処理個別表示領域のうち、一の画像処理に対応する一の画像処理個別表示領域への操作入力が受け付けられると、前記一の画像処理に対応する前記一の画像処理個別表示領域と前記一の画像処理の対象である一の入力画像に対応する一の入力画像個別表示領域との連関を線で表現するとともに、前記一の画像処理個別表示領域と前記一の画像処理によって生成された一の出力画像に対応する一の出力画像個別表示領域との連関を線で表現することを特徴とする情報処理装置。
【請求項７】
請求項３または請求項４に記載の情報処理装置において、
前記表示制御手段は、前記少なくとも１つの出力画像に対応する前記少なくとも１つの出力画像個別表示領域のうち、一の出力画像に対応する一の出力画像個別表示領域への操作入力が受け付けられると、前記一の出力画像に対応する前記一の出力画像個別表示領域と前記一の出力画像の生成に際して施された一の画像処理に対応する一の画像処理個別表示領域との連関を線で表現するとともに、前記一の画像処理個別表示領域と前記一の画像処理が施された一の入力画像に対応する一の入力画像個別表示領域との連関を線で表現することを特徴とする情報処理装置。
【請求項８】
請求項５に記載の情報処理装置において、
前記表示制御手段は、前記ジョブ履歴画面の表示後、前記一の入力画像個別表示領域に対する操作入力が再度受け付けられると、前記一の入力画像のプレビュー画像を表示するとともに、前記プレビュー画像内において前記一の出力画像に対応する領域を指し示して表示することを特徴とする情報処理装置。
【請求項９】
請求項３ないし請求項８のいずれかに記載の情報処理装置においては、
前記表示制御手段は、前記少なくとも１つの入力画像個別表示領域と前記少なくとも１つの画像処理個別表示領域と前記少なくとも１つの出力画像個別表示領域とのうち、前記一の入力画像個別表示領域と前記一の画像処理個別表示領域と前記一の出力画像個別表示領域とを除く個別表示領域をグレーアウトした状態で表示することを特徴とする情報処理装置。
【請求項１０】
請求項１に記載の情報処理装置において、
前記ジョブ履歴画面は、複数の入力画像にそれぞれ対応づけられた複数のタブ画面を有し、
前記表示制御手段は、前記ジョブ履歴画面における一のタブ画面内において、前記一のタブ画面に対応づけられた一の入力画像を示す第１のボックスと、前記一の入力画像に対して一の画像処理を施して生成された一の出力画像を示す第２のボックスとの連関を線で表現することを特徴とする情報処理装置。
【請求項１１】
請求項１０に記載の情報処理装置において、
前記表示制御手段は、前記一の出力画像に対して更なる画像処理が行われて新たな出力画像が生成されている場合には、前記第２のボックスと、前記一の入力画像に対して前記更なる画像処理を施して生成された新たな出力画像を示す第３のボックスとの連関を線で表現することを特徴とする情報処理装置。
【請求項１２】
請求項１１に記載の情報処理装置において、
前記表示制御手段は、前記ジョブ履歴画面において、前記第１のボックスを前記一のタブ画面内の上部に表示し、前記第２のボックスを前記第１のボックスの下側に表示し、前記第３のボックスを前記第２のボックスの下側に表示することを特徴とする情報処理装置。
【請求項１３】
請求項１０に記載の情報処理装置において、
前記表示制御手段は、前記一のタブ画面に対応づけられた一の入力画像に対して第１の画像処理が施されて第１の出力画像が生成され、且つ、前記一の入力画像に対して第２の画像処理が施されて第２の出力画像が生成されている場合には、前記第１のボックスと前記第２の出力画像を示す第３のボックスとの連関をも線で表現することを特徴とする情報処理装置。
【請求項１４】
請求項１０に記載の情報処理装置において、
前記一の画像処理は、第１の入力画像と第２の入力画像とを合成して合成画像を生成する画像合成処理であり、
前記表示制御手段は、前記一のタブ画面に対応づけられた前記第１の入力画像と、前記第２の入力画像とに対して前記画像合成処理が施されて前記一の出力画像が生成されている場合には、前記第２の入力画像を示す前記第３のボックスと、前記一の出力画像を示す前記第２のボックスとの連関をも線で表現することを特徴とする情報処理装置。
【請求項１５】
請求項１０ないし請求項１４のいずれかに記載の情報処理装置において、
前記第２のボックスは、前記一の出力画像の格納先をも示すことを特徴とする情報処理装置。
【請求項１６】
請求項１に記載の情報処理装置において、
前記ジョブ履歴画面は、複数の出力画像にそれぞれ対応づけられた複数のタブ画面を有し、
前記表示制御手段は、前記ジョブ履歴画面における一のタブ画面内において、前記一のタブ画面に対応づけられた一の出力画像を示す第１のボックスと、前記一の出力画像の生成に際して施された一の画像処理の対象画像である一の入力画像を示す第２のボックスとの連関を線で表現することを特徴とする情報処理装置。
【請求項１７】
請求項１に記載の情報処理装置において、
前記表示制御手段は、入出力関係の複雑さに応じて第１形式の画面と第２形式の画面とのうちから選択された画面を前記ジョブ履歴画面として表示することが可能であり、
前記第１形式の画面は、
少なくとも１つの入力画像の情報をそれぞれ個別に示す少なくとも１つの入力画像個別表示領域を含む入力画像群表示領域と、
少なくとも１つの画像処理の情報をそれぞれ個別に示す少なくとも１つの画像処理個別表示領域を含む画像処理群表示領域と、
少なくとも１つの出力画像の情報をそれぞれ個別に示す少なくとも１つの出力画像個別表示領域を含む出力画像群表示領域と、
を有する画面であり、
前記第２形式の画面は、前記少なくとも１つの入力画像にそれぞれ対応づけられた少なくとも１つのタブ画面を有する画面であることを特徴とする情報処理装置。
【請求項１８】
請求項１７に記載の情報処理装置において、
前記表示制御手段は、
操作者によって前記少なくとも１つの入力画像の中から指定された一の入力画像に対して一の画像処理が施されて一の出力画像が生成される一方で前記一の出力画像に対する画像処理は施されていない場合には、前記第１形式の画面を前記ジョブ履歴画面として表示し、前記第１形式の画面において、前記一の入力画像個別表示領域と前記一の画像処理に対応する一の画像処理個別表示領域との連関を線で表現するとともに、前記一の画像処理個別表示領域と前記一の出力画像に対応する一の出力画像個別表示領域との連関を線で表現し、
前記一の入力画像に対して前記一の画像処理が施されて前記一の出力画像が生成されるとともに前記一の出力画像に対して更なる画像処理が施されて新たな出力画像が生成される場合には、前記第２形式の画面を前記ジョブ履歴画面として表示し、前記第２形式の画面において、前記一の入力画像を示す前記第１のボックスと、前記一の入力画像に対して前記第１の画像処理を施して生成された前記一の出力画像を示す第２のボックスとの連関を線で表現するとともに、前記第２のボックスと、前記一の出力画像に対して前記更なる画像処理を施して生成された前記新たな出力画像を示す第３のボックスとの連関を線で表現することを特徴とする情報処理装置。
【請求項１９】
請求項１７に記載の情報処理装置において、
前記表示制御手段は、
操作者によって前記少なくとも１つの入力画像の中から指定された一の入力画像に対して一の画像処理のみが施されて一の出力画像が生成される場合には、前記第１形式の画面を前記ジョブ履歴画面として表示し、前記第１形式の画面において、前記一の入力画像個別表示領域と前記一の画像処理に対応する一の画像処理個別表示領域との連関を線で表現するとともに、前記一の画像処理個別表示領域と前記一の出力画像に対応する一の出力画像個別表示領域との連関を線で表現し、
前記一の入力画像に対して第１の画像処理が施されて第１の出力画像が生成され、且つ、前記一の入力画像に対して第２の画像処理が施されて第２の出力画像が生成されている場合には、前記第２形式の画面を前記ジョブ履歴画面として表示し、前記第２形式の画面において、前記一の入力画像を示す前記第１のボックスと、前記一の入力画像に対して前記第１の画像処理を施して生成された前記第１の出力画像を示す第２のボックスとの連関を線で表現するとともに、前記第１のボックスと、前記一の入力画像に対して前記第２の画像処理を施して生成された前記第２の出力画像を示す第３のボックスとの連関を線で表現することを特徴とする情報処理装置。
【請求項２０】
請求項１７に記載の情報処理装置において、
前記表示制御手段は、
操作者によって前記少なくとも１つの入力画像の中から指定された一の入力画像に対して一の画像処理が施されて第１の出力画像が生成され、且つ、前記一の入力画像に関する画像合成処理が施されていない場合には、前記第１形式の画面を前記ジョブ履歴画面として表示し、前記第１形式の画面において、前記一の入力画像個別表示領域と前記一の画像処理に対応する一の画像処理個別表示領域との連関を線で表現するとともに、前記一の画像処理個別表示領域と前記第１の出力画像に対応する一の出力画像個別表示領域との連関を線で表現し、
前記一の入力画像とは別の入力画像と前記一の入力画像とを合成する画像合成処理が施されて第２の出力画像が生成される場合には、前記第２形式の画面を前記ジョブ履歴画面として表示し、前記第２形式の画面において、前記一の入力画像を示す前記第１のボックスと、前記一の入力画像に対して前記画像合成処理を施して生成された前記第２の出力画像を示す第２のボックスとの連関を線で表現するとともに、前記第２の入力画像を示す前記第３のボックスと、前記第２の出力画像を示す前記第２のボックスとの連関をも線で表現することを特徴とする情報処理装置。
【請求項２１】
コンピュータに、
ａ）実行済みの画像処理ジョブに係るジョブ履歴情報であって、入力画像と前記入力画像に対して施された画像処理と前記入力画像に対する前記画像処理によって生成された出力画像とを関連づけた情報であるジョブ履歴情報を格納するステップと、
ｂ）前記ジョブ履歴情報に基づいて、前記入力画像に対して前記画像処理が施されて前記出力画像が生成された旨を示す画面であるジョブ履歴画面を表示するステップと、
を実行させるためのプログラム。
【発明の詳細な説明】
【技術分野】
【０００１】
本発明は、情報処理装置に関し、特にジョブ履歴画面の表示制御技術に関する。
【背景技術】
【０００２】
各種の装置においては、ジョブに関する履歴情報を含む画面（以下、ジョブ履歴画面とも称する）を表示部に表示するものが存在する。たとえば、特許文献１には、ジョブに関する履歴情報（「ジョブＮｏ．」、「実行結果」、「登録時間」および「ユーザ名」等）を含むジョブ履歴画面を表示部に表示する画像処理装置が記載されている。
【先行技術文献】
【特許文献】
【０００３】
【特許文献１】特開２００９−１５８９９２号公報
【発明の概要】
【発明が解決しようとする課題】
【０００４】
しかしながら、上記特許文献１のジョブ履歴画面においては、実行済みの画像処理ジョブに関する情報（「ジョブＮｏ．」、「実行結果」、「登録時間」および「ユーザ名」等）が単に表示されるに過ぎず、具体的な処理内容は表示されない。したがって、上記特許文献１のジョブ履歴画面を操作者が閲覧したとしても、画像処理ジョブにおける具体的な内容を把握し得ず、当該画像処理ジョブの履歴（実行済みの画像処理ジョブに関する情報）を活用することは困難である。
【０００５】
そこで、この発明の課題は、画像処理ジョブの履歴を活用することが可能な技術を提供することにある。
【課題を解決するための手段】
【０００６】
上記課題を解決すべく、請求項１の発明は、情報処理装置であって、実行済みの画像処理ジョブに係るジョブ履歴情報であって、入力画像と前記入力画像に対して施された画像処理と前記入力画像に対する前記画像処理によって生成された出力画像とを関連づけた情報であるジョブ履歴情報を格納する格納手段と、前記ジョブ履歴情報に基づいて、前記入力画像に対して前記画像処理が施されて前記出力画像が生成された旨を示す画面であるジョブ履歴画面を表示部に表示する表示制御手段と、を備えることを特徴とする。
【０００７】
請求項２の発明は、請求項１の発明に係る情報処理装置において、前記ジョブ履歴画面は、前記出力画像の格納先をも示す画面であることを特徴とする。
【０００８】
請求項３の発明は、請求項１または請求項２の発明に係る情報処理装置において、前記ジョブ履歴画面は、少なくとも１つの入力画像の情報をそれぞれ個別に示す少なくとも１つの入力画像個別表示領域を含む入力画像群表示領域と、少なくとも１つの画像処理の情報をそれぞれ個別に示す少なくとも１つの画像処理個別表示領域を含む画像処理群表示領域と、少なくとも１つの出力画像の情報をそれぞれ個別に示す少なくとも１つの出力画像個別表示領域を含む出力画像群表示領域と、を有する画面であることを特徴とする。
【０００９】
請求項４の発明は、請求項３の発明に係る情報処理装置において、前記出力画像群表示領域は、前記少なくとも１つの出力画像のそれぞれの格納先を個別に示す少なくとも１つの格納先個別表示領域を含むことを特徴とする。
【００１０】
請求項５の発明は、請求項３または請求項４の発明に係る情報処理装置において、前記表示制御手段は、前記少なくとも１つの入力画像に対応する前記少なくとも１つの入力画像個別表示領域のうち、一の入力画像に対応する一の入力画像個別表示領域への操作入力が受け付けられると、前記ジョブ履歴画面において、前記一の入力画像に対応する前記一の入力画像個別表示領域と前記一の入力画像に施された一の画像処理に対応する一の画像処理個別表示領域との連関を線で表現するとともに、前記一の画像処理個別表示領域と前記一の入力画像に対する前記一の画像処理によって生成された一の出力画像に対応する一の出力画像個別表示領域との連関を線で表現することを特徴とする。
【００１１】
請求項６の発明は、請求項３または請求項４の発明に係る情報処理装置において、前記表示制御手段は、前記少なくとも１つの画像処理に対応する前記少なくとも１つの画像処理個別表示領域のうち、一の画像処理に対応する一の画像処理個別表示領域への操作入力が受け付けられると、前記一の画像処理に対応する前記一の画像処理個別表示領域と前記一の画像処理の対象である一の入力画像に対応する一の入力画像個別表示領域との連関を線で表現するとともに、前記一の画像処理個別表示領域と前記一の画像処理によって生成された一の出力画像に対応する一の出力画像個別表示領域との連関を線で表現することを特徴とする。
【００１２】
請求項７の発明は、請求項３または請求項４の発明に係る情報処理装置において、前記表示制御手段は、前記少なくとも１つの出力画像に対応する前記少なくとも１つの出力画像個別表示領域のうち、一の出力画像に対応する一の出力画像個別表示領域への操作入力が受け付けられると、前記一の出力画像に対応する前記一の出力画像個別表示領域と前記一の出力画像の生成に際して施された一の画像処理に対応する一の画像処理個別表示領域との連関を線で表現するとともに、前記一の画像処理個別表示領域と前記一の画像処理が施された一の入力画像に対応する一の入力画像個別表示領域との連関を線で表現することを特徴とする。
【００１３】
請求項８の発明は、請求項５の発明に係る情報処理装置において、前記表示制御手段は、前記ジョブ履歴画面の表示後、前記一の入力画像個別表示領域に対する操作入力が再度受け付けられると、前記一の入力画像のプレビュー画像を表示するとともに、前記プレビュー画像内において前記一の出力画像に対応する領域を指し示して表示することを特徴とする。
【００１４】
請求項９の発明は、請求項３ないし請求項８のいずれかの発明に係る情報処理装置においては、前記表示制御手段は、前記少なくとも１つの入力画像個別表示領域と前記少なくとも１つの画像処理個別表示領域と前記少なくとも１つの出力画像個別表示領域とのうち、前記一の入力画像個別表示領域と前記一の画像処理個別表示領域と前記一の出力画像個別表示領域とを除く個別表示領域をグレーアウトした状態で表示することを特徴とする。
【００１５】
請求項１０の発明は、請求項１の発明に係る情報処理装置において、前記ジョブ履歴画面は、複数の入力画像にそれぞれ対応づけられた複数のタブ画面を有し、前記表示制御手段は、前記ジョブ履歴画面における一のタブ画面内において、前記一のタブ画面に対応づけられた一の入力画像を示す第１のボックスと、前記一の入力画像に対して一の画像処理を施して生成された一の出力画像を示す第２のボックスとの連関を線で表現することを特徴とする。
【００１６】
請求項１１の発明は、請求項１０の発明に係る情報処理装置において、前記表示制御手段は、前記一の出力画像に対して更なる画像処理が行われて新たな出力画像が生成されている場合には、前記第２のボックスと、前記一の入力画像に対して前記更なる画像処理を施して生成された新たな出力画像を示す第３のボックスとの連関を線で表現することを特徴とする。
【００１７】
請求項１２の発明は、請求項１１の発明に係る情報処理装置において、前記表示制御手段は、前記ジョブ履歴画面において、前記第１のボックスを前記一のタブ画面内の上部に表示し、前記第２のボックスを前記第１のボックスの下側に表示し、前記第３のボックスを前記第２のボックスの下側に表示することを特徴とする。
【００１８】
請求項１３の発明は、請求項１０の発明に係る情報処理装置において、前記表示制御手段は、前記一のタブ画面に対応づけられた一の入力画像に対して第１の画像処理が施されて第１の出力画像が生成され、且つ、前記一の入力画像に対して第２の画像処理が施されて第２の出力画像が生成されている場合には、前記第１のボックスと前記第２の出力画像を示す第３のボックスとの連関をも線で表現することを特徴とする。
【００１９】
請求項１４の発明は、請求項１０の発明に係る情報処理装置において、前記一の画像処理は、第１の入力画像と第２の入力画像とを合成して合成画像を生成する画像合成処理であり、前記表示制御手段は、前記一のタブ画面に対応づけられた前記第１の入力画像と、前記第２の入力画像とに対して前記画像合成処理が施されて前記一の出力画像が生成されている場合には、前記第２の入力画像を示す前記第３のボックスと、前記一の出力画像を示す前記第２のボックスとの連関をも線で表現することを特徴とする。
【００２０】
請求項１５の発明は、請求項１０ないし請求項１４のいずれかの発明に係る情報処理装置において、前記第２のボックスは、前記一の出力画像の格納先をも示すことを特徴とする。
【００２１】
請求項１６の発明は、請求項１の発明に係る情報処理装置において、前記ジョブ履歴画面は、複数の出力画像にそれぞれ対応づけられた複数のタブ画面を有し、前記表示制御手段は、前記ジョブ履歴画面における一のタブ画面内において、前記一のタブ画面に対応づけられた一の出力画像を示す第１のボックスと、前記一の出力画像の生成に際して施された一の画像処理の対象画像である一の入力画像を示す第２のボックスとの連関を線で表現することを特徴とする。
【００２２】
請求項１７の発明は、請求項１の発明に係る情報処理装置において、前記表示制御手段は、入出力関係の複雑さに応じて第１形式の画面と第２形式の画面とのうちから選択された画面を前記ジョブ履歴画面として表示することが可能であり、前記第１形式の画面は、少なくとも１つの入力画像の情報をそれぞれ個別に示す少なくとも１つの入力画像個別表示領域を含む入力画像群表示領域と、少なくとも１つの画像処理の情報をそれぞれ個別に示す少なくとも１つの画像処理個別表示領域を含む画像処理群表示領域と、少なくとも１つの出力画像の情報をそれぞれ個別に示す少なくとも１つの出力画像個別表示領域を含む出力画像群表示領域と、を有する画面であり、前記第２形式の画面は、前記少なくとも１つの入力画像にそれぞれ対応づけられた少なくとも１つのタブ画面を有する画面であることを特徴とする。
【００２３】
請求項１８の発明は、請求項１７の発明に係る情報処理装置において、前記表示制御手段は、操作者によって前記少なくとも１つの入力画像の中から指定された一の入力画像に対して一の画像処理が施されて一の出力画像が生成される一方で前記一の出力画像に対する画像処理は施されていない場合には、前記第１形式の画面を前記ジョブ履歴画面として表示し、前記第１形式の画面において、前記一の入力画像個別表示領域と前記一の画像処理に対応する一の画像処理個別表示領域との連関を線で表現するとともに、前記一の画像処理個別表示領域と前記一の出力画像に対応する一の出力画像個別表示領域との連関を線で表現し、前記一の入力画像に対して前記一の画像処理が施されて前記一の出力画像が生成されるとともに前記一の出力画像に対して更なる画像処理が施されて新たな出力画像が生成される場合には、前記第２形式の画面を前記ジョブ履歴画面として表示し、前記第２形式の画面において、前記一の入力画像を示す前記第１のボックスと、前記一の入力画像に対して前記第１の画像処理を施して生成された前記一の出力画像を示す第２のボックスとの連関を線で表現するとともに、前記第２のボックスと、前記一の出力画像に対して前記更なる画像処理を施して生成された前記新たな出力画像を示す第３のボックスとの連関を線で表現することを特徴とする。
【００２４】
請求項１９の発明は、請求項１７の発明に係る情報処理装置において、前記表示制御手段は、操作者によって前記少なくとも１つの入力画像の中から指定された一の入力画像に対して一の画像処理のみが施されて一の出力画像が生成される場合には、前記第１形式の画面を前記ジョブ履歴画面として表示し、前記第１形式の画面において、前記一の入力画像個別表示領域と前記一の画像処理に対応する一の画像処理個別表示領域との連関を線で表現するとともに、前記一の画像処理個別表示領域と前記一の出力画像に対応する一の出力画像個別表示領域との連関を線で表現し、前記一の入力画像に対して第１の画像処理が施されて第１の出力画像が生成され、且つ、前記一の入力画像に対して第２の画像処理が施されて第２の出力画像が生成されている場合には、前記第２形式の画面を前記ジョブ履歴画面として表示し、前記第２形式の画面において、前記一の入力画像を示す前記第１のボックスと、前記一の入力画像に対して前記第１の画像処理を施して生成された前記第１の出力画像を示す第２のボックスとの連関を線で表現するとともに、前記第１のボックスと、前記一の入力画像に対して前記第２の画像処理を施して生成された前記第２の出力画像を示す第３のボックスとの連関を線で表現することを特徴とする。
【００２５】
請求項２０の発明は、請求項１７の発明に係る情報処理装置において、前記表示制御手段は、操作者によって前記少なくとも１つの入力画像の中から指定された一の入力画像に対して一の画像処理が施されて第１の出力画像が生成され、且つ、前記一の入力画像に関する画像合成処理が施されていない場合には、前記第１形式の画面を前記ジョブ履歴画面として表示し、前記第１形式の画面において、前記一の入力画像個別表示領域と前記一の画像処理に対応する一の画像処理個別表示領域との連関を線で表現するとともに、前記一の画像処理個別表示領域と前記第１の出力画像に対応する一の出力画像個別表示領域との連関を線で表現し、前記一の入力画像とは別の入力画像と前記一の入力画像とを合成する画像合成処理が施されて第２の出力画像が生成される場合には、前記第２形式の画面を前記ジョブ履歴画面として表示し、前記第２形式の画面において、前記一の入力画像を示す前記第１のボックスと、前記一の入力画像に対して前記画像合成処理を施して生成された前記第２の出力画像を示す第２のボックスとの連関を線で表現するとともに、前記第２の入力画像を示す前記第３のボックスと、前記第２の出力画像を示す前記第２のボックスとの連関をも線で表現することを特徴とする。
【００２６】
請求項２１の発明は、コンピュータに、ａ）実行済みの画像処理ジョブに係るジョブ履歴情報であって、入力画像と前記入力画像に対して施された画像処理と前記入力画像に対する前記画像処理によって生成された出力画像とを関連づけた情報であるジョブ履歴情報を格納するステップと、ｂ）前記ジョブ履歴情報に基づいて、前記入力画像に対して前記画像処理が施されて前記出力画像が生成された旨を示す画面であるジョブ履歴画面を表示するステップと、を実行させるためのプログラムであることを特徴とする。
【発明の効果】
【００２７】
請求項１ないし請求項２１に記載の発明によれば、画像処理ジョブの履歴を活用することが可能である。
【図面の簡単な説明】
【００２８】
【図１】第１実施形態に係るＭＦＰの概略構成を示す図である。
【図２】ジョブ履歴情報を示す図である。
【図３】ボタン選択型のジョブ履歴画面を示す図である。
【図４】ボタン選択型のジョブ履歴画面を示す図である。
【図５】第２実施形態に係るジョブ履歴情報を示す図である。
【図６】第２実施形態に係るボタン選択型のジョブ履歴画面を示す図である。
【図７】第３実施形態に係るタブ選択型のジョブ履歴画面を示す図である。
【図８】タブ選択型のジョブ履歴画面を示す図である。
【図９】第４実施形態に係るタブ選択型のジョブ履歴画面を示す図である。
【図１０】第５実施形態に係るタブ選択型のジョブ履歴画面を示す図である。
【図１１】第６実施形態に係るＭＦＰの動作を示すフローチャートである。
【図１２】変形例に係るボタン選択型のジョブ履歴画面を示す図である。
【図１３】変形例に係るボタン選択型のジョブ履歴画面を示す図である。
【図１４】変形例に係るタブ選択型のジョブ履歴画面を示す図である。
【図１５】変形例に係るタブ選択型のジョブ履歴画面を示す図である。
【図１６】変形例に係るテキスト表示型のジョブ履歴画面を示すである。
【図１７】変形例に係るプレビュー表示画面を示す図である。
【図１８】変形例に係るボタン選択型のジョブ履歴画面を示す図である。
【発明を実施するための形態】
【００２９】
以下、本発明の実施形態を図面に基づいて説明する。
【００３０】
＜１．第１実施形態＞
＜１−１．構成＞
図１は、情報処理装置１０を示す概略図である。ここでは、情報処理装置１０がＭＦＰ（マルチ・ファンクション・ペリフェラル（Multi-Functional Peripheral））として構成される場合を例示する。
【００３１】
ＭＦＰ１０は、スキャナ機能、プリンタ機能、コピー機能およびファクシミリ機能などを備える装置（複合機とも称する）である。具体的には、ＭＦＰ１０は、画像読取部２と、印刷出力部３と、通信部４と、格納部５と、入出力部６と、コントローラ９とを備えており、これらの各部を複合的に動作させることによって、上記の各機能を実現する。
【００３２】
画像読取部２は、ＭＦＰ１０の所定の位置に載置された原稿を光学的に読み取って、当該原稿の画像（原稿画像ないしスキャン画像とも称する）を生成する処理部である。画像読取部２は、スキャナ部とも称される。
【００３３】
印刷出力部３は、対象画像に関する画像データに基づいて紙などの各種の媒体に画像を印刷出力する出力部である。
【００３４】
通信部４は、公衆回線等を介したファクシミリ通信を行うことが可能な処理部である。また、通信部４は、通信ネットワークを介したネットワーク通信が可能である。このネットワーク通信を利用することによって、ＭＦＰ１０は、所望の相手先との間で各種のデータを授受することが可能である。
【００３５】
格納部５は、ハードディスクドライブ（ＨＤＤ）等の格納装置で構成される。この格納部５は、ＭＦＰ１０で実行された画像処理ジョブＪＢに関する情報（以下、ジョブ履歴情報とも称する）ＪＦ（ＪＦ１）（図２参照）を格納する。ジョブ履歴情報ＪＦは、実行済みの画像処理ジョブにおける各入力画像と、各入力画像に対して施された各画像処理と、各入力画像に対する各画像処理によって生成された各出力画像と、各出力画像の格納先とを関連づけた情報を含む。
【００３６】
図２に示すように、ジョブ履歴情報ＪＦ１は、ＭＦＰ１０で実行済みの画像処理ジョブＪＢの各項目（「入力画像」、「画像処理」、「出力画像」、「格納先」）に関する情報を有する。項目「入力画像」には、各画像処理ジョブＪＢにおける各入力画像ＳＧのファイル名が記録される。項目「画像処理」には、各画像処理ジョブＪＢにおける各画像処理ＧＰの処理名が記録される。項目「出力画像」には、各画像処理ジョブＪＢにおける各出力画像ＴＧのファイル名が記録される。項目「格納先」には、各画像処理ジョブＪＢにおける各出力画像ＴＧの各格納先のフォルダ名が記録される。
【００３７】
たとえば、ジョブ履歴情報ＪＦ１の１行目には、画像処理ジョブＪＢ１に関する情報が記録されている。詳細には、項目「入力画像」には、画像処理ジョブＪＢ１における入力画像ＳＧ１のファイル名である「画像０１」が記録されており、項目「画像処理」には、画像処理ジョブＪＢ１における画像処理ＧＰ２の処理名である「高彩度（高彩度化処理）」が記録されている。また、項目「出力画像」には、画像処理ジョブＪＢ１における出力画像ＴＧ１のファイル名である「画像１１」が記録されており、項目「格納先」には、当該出力画像ＴＧ１の格納先ＳＴ１のフォルダ名である「フォルダ０１」が記録されている。すなわち、ジョブ履歴情報ＪＦの１行目には、画像処理ジョブＪＢ１において、入力画像ＳＧ１（「画像０１」）に対して画像処理ＧＰ２（「高彩度」）が施されて出力画像ＴＧ１（「画像１１」）が生成され、当該出力画像ＴＧ１が格納先ＳＴ１（「フォルダ０１」）に格納されたことが記録される。換言すれば、ジョブ履歴情報ＪＦ１の１行目には、入力画像ＳＧ１と、当該入力画像ＳＧ１に対して施された画像処理ＧＰ２と、当該入力画像ＳＧ１に対する当該画像処理ＧＰ２によって生成された出力画像ＴＧ１とが関連づけられて記録されている。
【００３８】
なお、ジョブ履歴情報ＪＦ１には、画像処理ジョブＪＢ１と同様に、その他の画像処理ジョブＪＢ２，ＪＢ３，...に関する情報も記録されているものとする。
【００３９】
入出力部６は、ＭＦＰ１０に対する入力を受け付ける操作入力部６ａと、各種情報の表示出力を行う表示部６ｂとを備えている。詳細には、ＭＦＰ１０には操作パネルＰＮが設けられている。この操作パネル（タッチスクリーン）ＰＮは、液晶表示パネルに圧電センサ等が埋め込まれて構成されており、表示部６ｂの一部として機能するとともに、操作入力部６ａの一部としても機能する。
【００４０】
コントローラ９は、ＭＦＰ１０を統括的に制御する制御装置であり、ＣＰＵと、各種の半導体メモリ（ＲＡＭおよびＲＯＭ等）とを備えて構成される。コントローラ９の制御下において各種の処理部が動作することによって、ＭＦＰ１０の各種の機能が実現される。
【００４１】
具体的には、図１に示すように、コントローラ９は、入力制御部９１と表示制御部９３とを備える。
【００４２】
入力制御部９１は、操作入力部６ａ等と協働して、ＭＦＰ１０に対する入力を受け付ける処理部である。
【００４３】
表示制御部９３は、表示部６ｂ等における表示出力動作等を制御する処理部である。たとえば、表示制御部９３は、ジョブ履歴情報ＪＦに基づいて、実行済みの画像処理ジョブに関する各入力画像と各画像処理と各出力画像と各出力画像の各格納先との対応関係を示すジョブ履歴画面ＪＧ（後述）を表示部に表示する動作等を制御する。
【００４４】
＜１−２．動作＞
次に、この第１実施形態に係るＭＦＰ１０の動作について説明する。
【００４５】
ＭＦＰ１０の操作パネルＰＮを介してジョブ履歴画面ＪＧ（後述）を表示すべき旨の表示指示が受け付けられると、図３に示すように、表示制御部９３は、ジョブ履歴画面ＪＧ（ＪＧ１）を操作パネルＰＮに表示する。
【００４６】
図３に示すように、ジョブ履歴画面ＪＧ１は、入力画像群表示領域（入力画像群領域とも称する）ＡＲ１と画像処理群表示領域（画像処理群領域とも称する）ＡＲ２と出力画像群表示領域（出力画像群領域とも称する）ＡＲ３とを備えて構成される。
【００４７】
入力画像群領域ＡＲ１は、複数の入力画像選択用ボタンＢＴ１１，ＢＴ１２，ＢＴ１３，...を含む領域である。複数の入力画像選択用ボタンＢＴ１１，ＢＴ１２，ＢＴ１３，...は、複数の入力画像ＳＧ１，ＳＧ２，ＳＧ３，...をそれぞれ選択するためのボタンである。図３に示すように、複数の入力画像選択用ボタンＢＴ１１，ＢＴ１２，ＢＴ１３，...の内部には、複数の入力画像ＳＧ１，ＳＧ２，ＳＧ３，...のファイル名（「画像０１」，「画像０２」，「画像０３」）が表示される。複数の入力画像選択用ボタンＢＴ１１，ＢＴ１２，ＢＴ１３，...は、それぞれ、各入力画像ＳＧ１，ＳＧ２，ＳＧ３，...の情報（ファイル名称等）をそれぞれ個別に示す入力画像個別表示領域であるとも表現される。また、ここでは、入力画像群領域ＡＲ１は、複数の入力画像選択用ボタンを有しているがこれに限定されず、単一の入力画像選択用ボタンのみを有するものであってもよい。
【００４８】
画像処理群領域ＡＲ２は、複数の画像処理選択用ボタンＢＴ２１，ＢＴ２２，ＢＴ２３，...を含む領域である。複数の画像処理選択用ボタンＢＴ２１，ＢＴ２２，ＢＴ２３，...は、複数の画像処理ＧＰ１，ＧＰ２，ＧＰ３，...をそれぞれ選択するためのボタンである。図３に示すように、複数の画像処理選択用ボタンＢＴ２１，ＢＴ２２，ＢＴ２３，...の内部には、複数の画像処理ＧＰ１，ＧＰ２，ＧＰ３，...の処理名（「枠消し」，「高彩度」，「トリミング」）が表示される。複数の画像処理選択用ボタンＢＴ２１，ＢＴ２２，ＢＴ２３，...は、それぞれ、各画像処理ＧＰ１，ＧＰ２，ＧＰ３，...の情報（画像処理名称等）をそれぞれ個別に示す画像処理個別表示領域であるとも表現される。また、ここでは、画像処理群領域ＡＲ２は、複数の画像処理選択用ボタンを有しているがこれに限定されず、単一の画像処理選択用ボタンのみを有するものであってもよい。
【００４９】
出力画像群領域ＡＲ３は、複数の格納先表示ボックスＢＸ１，ＢＸ２，ＢＸ３，...を含む領域である。複数の格納先表示ボックスＢＸ１，ＢＸ２，ＢＸ３，...は、複数の格納先ＳＴ１，ＳＴ２，ＳＴ３のフォルダ名（「フォルダ０１」、「フォルダ０２」、「フォルダ０３」）を内部に表示するボックスである。また、複数の格納先表示ボックスＢＸ１，ＢＸ２，ＢＸ３，...の内部には、複数の出力画像選択用ボタンＢＴ３１，ＢＴ３２，ＢＴ３３，...も表示される。複数の出力画像選択用ボタンＢＴ３１，ＢＴ３２，ＢＴ３３，...は、複数の出力画像ＴＧ１，ＴＧ２，ＴＧ３，...をそれぞれ選択するためのボタンである。複数の出力画像選択用ボタンＢＴ３１，ＢＴ３２，ＢＴ３３，...の内部には、複数の出力画像ＴＧ１，ＴＧ２，ＴＧ３，...のファイル名（「画像１１」，「画像１２」，「画像２１」）が表示される。複数の出力画像選択用ボタンＢＴ３１，ＢＴ３２，ＢＴ３３，...は、それぞれ、各出力画像ＴＧ１，ＴＧ２，ＴＧ３，...の情報（ファイル名称等）をそれぞれ個別に示す出力画像個別表示領域であるとも表現される。同様に、複数の格納先表示ボックスＢＸ１，ＢＸ２，ＢＸ３，...は、それぞれ、各出力画像ＴＧ１，ＴＧ２，ＴＧ３，...の各格納先の情報（フォルダ名称等）をそれぞれ個別に示す格納先個別表示領域であるとも表現される。また、ここでは、出力画像群領域ＡＲ３は、複数の出力画像選択用ボタンを有しているがこれに限定されず、単一の出力画像選択用ボタンのみを有するものであってもよい。同様に、出力画像群領域ＡＲ３は、複数の格納先表示ボックスを有しているがこれに限定されず、単一の格納先表示ボックスのみを有するものであってもよい。
【００５０】
このように、ジョブ履歴画面ＪＧ１は、複数の入力画像選択用ボタンＢＴ１１，ＢＴ１２，ＢＴ１３，...と、複数の画像処理選択用ボタンＢＴ２１，ＢＴ２２，ＢＴ２３，...と、複数の出力画像選択用ボタンＢＴ３１，ＢＴ３２，ＢＴ３３，...とを備えている。そして、後に詳述するように、これらの選択用ボタンが適宜選択されることにより、ジョブ履歴画面ＪＧ１において、実行済みの画像処理ジョブＪＢにおける入力画像ＳＧと画像処理ＧＰと出力画像ＴＧと格納先ＳＴとの対応関係が表示される。このため、ジョブ履歴画面ＪＧ１は、ボタン選択型のジョブ履歴画面ＪＧ１とも称される。
【００５１】
ボタン選択型のジョブ履歴画面ＪＧ１に対する操作者の操作において、入力画像ＳＧ１に対応する入力画像選択用ボタンＢＴ１１が選択されると、ＭＦＰ１０は、ジョブ履歴情報ＪＦ１（図２）を参照し、当該入力画像ＳＧ１に画像処理ＧＰを施した画像処理ジョブＪＢを特定する。ここでは、ＭＦＰ１０は、入力画像ＳＧ１に画像処理ＧＰ２を施した画像処理ジョブＪＢ１を当該入力画像ＳＧ１に対応する画像処理ジョブＪＢとして特定する。
【００５２】
画像処理ジョブＪＢ１が特定されると、ＭＦＰ１０は、ジョブ履歴情報ＪＦ１に基づいて、当該画像処理ジョブＪＢ１における入力画像ＳＧ１（「画像０１」）と画像処理ＧＰ２（「高彩度」）と出力画像ＴＧ１（「画像１１」）と格納先ＳＴ１（「フォルダ０１」）とを取得する。
【００５３】
そして、図４に示すように、表示制御部９３は、ジョブ履歴画面ＪＧ１において、入力画像ＳＧ１に対応する入力画像選択用ボタンＢＴ１１と画像処理ＧＰ２に対応する画像処理選択用ボタンＢＴ２２との間を線で結んで表示する。同時に、表示制御部９３は、当該画像処理選択用ボタンＢＴ２２と格納先ＳＴ１に対応する格納先表示ボックスＢＸ１（およびその内部の出力画像選択用ボタンＢＴ３１）との間をも線で結んで表示する。このように、ジョブ履歴画面ＪＧ１において、２つの対象物（接続対象物）が線で結ばれて表示されることによって、当該２つの対象物の連関が表現される。ここでは、入力画像選択用ボタンＢＴ１１と画像処理選択用ボタンＢＴ２２との両者が線で結ばれることによって、当該両者の連関が表現される。また、画像処理選択用ボタンＢＴ２２と格納先表示ボックスＢＸ１（およびその内部の出力画像選択用ボタンＢＴ３１）との両者が線で結ばれることによって、当該両者の連関も表現される。なお、この明細書において、２つの対象物（接続対象物）を「線で結ぶ」とは、「線」の両端が各接続対象物に接触しているものに限定されず、２つの接続対象物の対応関係が「線」で示されるものであればよく、たとえば「線」の両端が各接続対象物から若干離間しているものであってもよい。
【００５４】
また、表示制御部９３は、入力画像選択用ボタンＢＴ１１の枠線と、画像処理選択用ボタンＢＴ２２の枠線と、出力画像選択用ボタンＢＴ３１の枠線と、格納先表示ボックスＢＴ３１の枠線とをそれぞれ太線で表示（強調表示）する。これによれば、操作者は、選択された入力画像と当該入力画像に対して施された画像処理と当該画像処理が施されて生成された出力画像との関係を容易に認識することが可能である。
【００５５】
さらに、表示制御部９３は、入力画像群領域ＡＲ１内の入力画像選択用ボタンＢＴ１１が選択されたことに伴って、当該入力画像群領域ＡＲ１を示す枠線を実線（図３参照）から破線（図４参照）に変更する。これによれば、操作者は、入力画像選択用ボタンが押下されたことを容易に認識することが可能である。
【００５６】
以上の動作においては、図４に示すように、入力画像選択用ボタンＢＴ１１と画像処理選択用ボタンＢＴ２２とが線で結ばれて表示されるとともに、当該画像処理選択用ボタンＢＴ２２と格納先表示ボックスＢＸ１（およびその内部の出力画像選択用ボタンＢＴ３１）とが線で結ばれて表示される。ここで、入力画像選択用ボタンＢＴ１１は、操作者によって選択された入力画像ＳＧ１（「画像０１」）に対応するものであり、画像処理選択用ボタンＢＴ２２は、当該入力画像ＳＧ１に施された画像処理ＧＰ２（「高彩度」）に対応するものである。また、出力画像選択用ボタンＢＴ３１は、入力画像ＳＧ１に対する画像処理ＧＰ２によって生成された出力画像ＴＧ１（「画像１１」）に対応するものである。
【００５７】
このような表示によれば、図４に示すジョブ履歴画面ＪＧ１を通じて、入力画像ＳＧ１（「画像０１」）に対して画像処理ＧＰ２（「高彩度」）が施されて出力画像ＴＧ１（「画像１１」）が生成されたことを操作者に認識させることが可能である。換言すれば、操作者は、選択された入力画像ＳＧ１と当該入力画像ＳＧ１に対して施された画像処理ＧＰ２と当該画像処理ＧＰ２が施されて生成された出力画像ＴＧ１との関係を容易に認識することが可能である。そして、この認識内容に基づき、画像処理ジョブＪＢの履歴を有効に活用することが可能である。
【００５８】
たとえば、実行済みの画像処理ジョブＪＢにおいて入力画像ＳＧ１に基づき生成された出力画像ＴＧの中から活用可能な画像を操作者が探す際に、当該操作者は、ジョブ履歴画面ＪＧ１を利用すれば、入力画像ＳＧ（ＳＧ１）に対して画像処理ＧＰ（ＧＰ２）が施されて出力画像ＴＧ（ＴＧ１）が生成されたことを認識し得る。ここで、出力画像ＴＧ（ＴＧ１）が操作者が探している画像に該当すれば、当該出力画像ＴＧを新たに生成せずとも、既に存在する出力画像ＴＧを再利用することが可能である。換言すれば、出力画像ＴＧを新たに生成する手間が省ける。このように、ジョブ履歴画面ＪＧ１を用いることによれば、画像処理ジョブＪＢの履歴を有効に活用することが可能である。
【００５９】
また、図４に示すジョブ履歴画面ＪＧ１においては、出力画像ＴＧ１（「画像１１」）が格納先ＳＴ（「フォルダ０１」）に格納されていることが示される。したがって、出力画像ＴＧ（ＴＧ１）を再利用する際に、操作者は、当該出力画像ＴＧ（ＴＧ１）に対して容易にアクセスすることが可能である。
【００６０】
＜２．第２実施形態＞
第２実施形態は、第１実施形態の変形例である。以下、第１の実施形態との相違点を中心に説明する。
【００６１】
第１実施形態では、入力画像ＳＧ１に対して単一の画像処理ＧＰ（ＧＰ２）が施されている場合を例示した。
【００６２】
一方、この第２実施形態では、入力画像ＳＧ１に対して複数の画像処理ＧＰが施されている場合を例示する。
【００６３】
図５は、この第２実施形態に係るジョブ履歴情報ＪＦ（ＪＦ２）を示す図である。
【００６４】
図５に示すように、ジョブ履歴情報ＪＦ２の１行目には、上記第１実施形態と同様に、画像処理ジョブＪＢ１に関する情報が記録されている。
【００６５】
ジョブ履歴情報ＪＦ２の２行目には、画像処理ジョブＪＢ２に関する情報が記録されている。具体的には、項目「入力画像」には、入力画像ＳＧ１のファイル名である「画像０１」が記録されており、項目「画像処理」には、画像処理ＧＰ３の処理名である「トリミング」が記録されている。また、項目「出力画像」には、出力画像ＴＧ２のファイル名である「画像１２」が記録されており、項目「格納先」には、格納先ＳＴ２のフォルダ名である「フォルダ０２」が記録されている。すなわち、ジョブ履歴情報ＪＦ２の２行目には、画像処理ジョブＪＢ２において、入力画像ＳＧ１（「画像０１」）に対して画像処理ＧＰ３（「トリミング」）が施されて出力画像ＴＧ２（「画像１２」）が生成され、当該出力画像ＴＧ２が格納先ＳＴ２（「フォルダ０２」）に格納されたことが記録されている。換言すれば、ジョブ履歴情報ＪＦ２の２行目には、入力画像ＳＧ１と、入力画像ＳＧ１に対して施された画像処理ＧＰ３と、入力画像ＳＧ１に対する画像処理ＧＰ３によって生成された出力画像ＴＧ２とが関連づけられて記録されている。
【００６６】
次に、この第２実施形態に係るＭＦＰ１０の動作について説明する。
【００６７】
上述の図３に示すジョブ履歴画面ＪＧ１において、上記第１実施形態と同様に、入力画像ＳＧ１に対応する入力画像選択用ボタンＢＴ１１が選択されると、ＭＦＰ１０は、ジョブ履歴情報ＪＦ２（図５）を参照し、当該入力画像ＳＧ１に画像処理ＧＰを施した画像処理ジョブＪＢを特定する。ここでは、ＭＦＰ１０は、入力画像ＳＧ１に画像処理ＧＰ２，ＧＰ３をそれぞれ施した複数（２つ）の画像処理ジョブＪＢ１，ＪＢ２を当該入力画像ＳＧ１に対応する画像処理ジョブＪＢとして特定する。
【００６８】
この後、ＭＦＰ１０は、ジョブ履歴情報ＪＦ２に基づいて、画像処理ジョブＪＢ１における入力画像ＳＧ１（「画像０１」）と画像処理ＧＰ２（「高彩度」）と出力画像ＴＧ１（「画像１１」）と格納先ＳＴ１（「フォルダ０１」）とを取得する。また、ＭＦＰ１０は、ジョブ履歴情報ＪＦ２に基づいて、画像処理ジョブＪＢ２における入力画像ＳＧ１（「画像０１」）と画像処理ＧＰ３（「トリミング」）と出力画像ＴＧ２（「画像１２」）と格納先ＳＴ２（「フォルダ０２」）とを取得する。
【００６９】
そして、図６に示すように、表示制御部９３は、ジョブ履歴画面ＪＧ１において、入力画像選択用ボタンＢＴ１１と画像処理選択用ボタンＢＴ２２，ＢＴ２３との間をそれぞれ線で結んで表示する。また、表示制御部９３は、画像処理選択用ボタンＢＴ２２，ＢＴ２３と出力画像選択用ボタンＢＴ３１，ＢＴ３２（および格納先表示ボックスＢＸ１，ＢＸ２）との間をそれぞれ線で結んで表示する。
【００７０】
ここで、入力画像選択用ボタンＢＴ１１は、操作者によって選択された入力画像ＳＧ１（「画像０１」）に対応するものである。また、画像処理選択用ボタンＢＴ２２は、当該入力画像ＳＧ１に施された画像処理ＧＰ２（「高彩度」）に対応するものであり、画像処理選択用ボタンＢＴ２３は、当該入力画像ＳＧ１に施された画像処理ＧＰ３（「トリミング」）に対応するものである。また、出力画像選択用ボタンＢＴ３１は、入力画像ＳＧ１に対する画像処理ＧＰ２によって生成された出力画像ＴＧ１（「画像１１」）に対応するものであり、出力画像選択用ボタンＢＴ３２は、入力画像ＳＧ１に対する画像処理ＧＰ３によって生成された出力画像ＴＧ２（「画像１２」）に対応するものである。さらに、格納先表示ボックスＢＸ１は、当該出力画像ＴＧ１の格納先ＳＴ１（「フォルダ０１」）に対応するものであり、格納先表示ボックスＢＸ２は、当該出力画像ＴＧ２の格納先ＳＴ２（「フォルダ０２」）に対応するものである。
【００７１】
このような表示によれば、図６に示すジョブ履歴画面ＪＧ１を通じて、入力画像ＳＧ１に対して２種類の画像処理ＧＰ２，ＧＰ３が施されて出力画像ＴＧ１，ＴＧ２がそれぞれ生成され、当該出力画像ＴＧ１，ＴＧ２が格納先ＳＴ１，ＳＴ２にそれぞれ格納されていることを操作者に認識させることが可能である。
【００７２】
なお、図６に示すように、入力画像選択用ボタンＢＴ１１の枠線と、画像処理選択用ボタンＢＴ２２，ＢＴ２３の枠線と、出力画像選択用ボタンＢＴ３１，ＢＴ３２の枠線と、格納先表示ボックスＢＸ１，ＢＸ２の枠線とがそれぞれ太線で表示（強調表示）される。これによれば、操作者は、入力画像ＳＧ１と当該入力画像ＳＧ１に対して施された２種類の画像処理ＧＰ２，ＧＰ３と当該画像処理ＧＰ２，ＧＰ３がそれぞれ施されて生成された出力画像ＴＧ１，ＴＧ２との関係を容易に認識することが可能である。
【００７３】
また、画像処理選択用ボタンＢＴ２２の枠線と、出力画像選択用ボタンＢＴ３１の枠線と、格納先表示ボックスＢＸ１の枠線とは、入力画像選択用ボタンＢＴ１１の枠線の色（ここでは、黒色）とは異なる色（ここでは、緑色）でそれぞれ表示される。同様に、入力画像選択用ボタンＢＴ１１と画像処理選択用ボタンＢＴ２２とを結ぶ線および当該画像処理選択用ボタンＢＴ２２と出力画像選択用ボタンＢＴ３１（および格納先表示ボックスＢＸ１）とを結ぶ線も、緑色で表示される。
【００７４】
他方、画像処理選択用ボタンＢＴ２３の枠線と、出力画像選択用ボタンＢＴ３２の枠線と、格納先表示ボックスＢＸ２の枠線とは、黒色とも緑色とも異なる色（ここでは、青色）で表示される。同様に、入力画像選択用ボタンＢＴ１１と画像処理選択用ボタンＢＴ２３とを結ぶ線および当該画像処理選択用ボタンＢＴ２３と出力画像選択用ボタンＢＴ３２（および格納先表示ボックスＢＸ２）とを結ぶ線も、青色で表示される。
【００７５】
このように、この実施形態では、入力画像ＳＧ１と画像処理ＧＰ２と出力画像ＴＧ１との関係が緑色の線で表現される一方で、当該入力画像ＳＧ１と画像処理ＧＰ３と出力画像ＴＧ２との関係が青色の線で表現される。すなわち、入力画像ＳＧと画像処理ＧＰと出力画像ＴＧとの関係が画像処理ジョブＪＢ（ＪＢ１，ＪＢ２）ごとに色分けされて表示される。このような表示によれば、操作者は、画像処理ジョブＪＢにおける入力画像ＳＧと入力画像ＳＧに対して施された画像処理ＧＰと当該画像処理ＧＰが施されて生成された出力画像ＴＧとの関係を容易に認識することが可能である。
【００７６】
＜３．第３実施形態＞
第３実施形態は、第１実施形態の変形例である。以下、第１の実施形態との相違点を中心に説明する。
【００７７】
第１実施形態では、ジョブ履歴画面ＪＧの表示指示に応答して、ボタン選択型のジョブ履歴画面ＪＧ１（図４参照）が操作パネルＰＮに表示される場合を例示した。
【００７８】
一方、この第３実施形態では、ジョブ履歴画面ＪＧの表示指示に応答して、次述のタブ選択型のジョブ履歴画面ＪＧ２１（図７参照）が操作パネルＰＮに表示される場合を例示する。
【００７９】
図７に示すように、タブ選択型のジョブ履歴画面ＪＧ２１は、複数のタブ画面ＴＢ１，ＴＢ２，ＴＢ３，...を備えて構成される。複数のタブ画面ＴＢ１，ＴＢ２，ＴＢ３，...は、複数の入力画像ＳＧ１（「画像０１」），ＳＧ２（「画像０２」），ＳＧ３（「画像０３」），...にそれぞれ対応づけられている。
【００８０】
各タブ画面ＴＢ（ＴＢ１，ＴＢ２，ＴＢ３，...）は、入力画像対応ボックスＮＢと出力画像対応ボックスＭＢとを備えて構成される。
【００８１】
入力画像対応ボックスＮＢは、入力画像ＳＧに関するボックスである。この入力画像対応ボックスＮＢには、入力画像ＳＧのファイル名が表示される。
【００８２】
出力画像対応ボックスＭＢは、出力画像ＳＧに関するボックスである。この出力画像対応ボックスＭＢは、画像処理表示領域ＰＡと出力画像表示領域ＴＡとを備えて構成される。画像処理表示領域ＰＡには、入力画像ＳＧに対して施された画像処理ＧＰの処理名が表示される。出力画像表示領域ＴＡには、出力画像ＴＧのファイル名と当該出力画像ＴＧの格納先ＳＴのフォルダ名とが表示される。
【００８３】
次に、この第３実施形態に係るＭＦＰ１０の動作について説明する。
【００８４】
ＭＦＰ１０の操作パネルＰＮを介してジョブ履歴画面ＪＧの表示指示が受け付けられると、表示制御部９３は、図７に示すジョブ履歴画面ＪＧ（ＪＧ２１）を操作パネルＰＮに表示する。なお、ジョブ履歴画面ＪＧ２１の表示開始時点においては、タブ画面ＴＢ１がデフォルトで選択されている。
【００８５】
図７に示すように、ジョブ履歴画面ＪＧ２１においては、タブ画面ＴＢ１内の上部に入力画像対応ボックスＮＢ１が表示されるとともに、当該入力画像対応ボックスＮＢ１の下側に出力画像対応ボックスＭＢ２が表示される。また、入力画像対応ボックスＮＢ１と出力画像対応ボックスＭＢ２とは線で結ばれて表示される。
【００８６】
入力画像対応ボックスＮＢ１には、入力画像ＳＧ１のファイル名（「画像０１」）が表示される。
【００８７】
出力画像対応ボックスＭＢ２には、画像処理ＧＰ２（詳細には、その処理名）と、出力画像ＴＧ１（詳細には、そのファイル名）と、格納先ＳＴ１（詳細には、そのフォルダ名）とがそれぞれ示される。詳細には、画像処理ＧＰ２の処理名（「高彩度」）が画像処理表示領域ＰＡ１に示され、出力画像ＴＧ１のファイル名（「画像１１」）と当該出力画像ＴＧ１の格納先ＳＴ１のフォルダ名（「フォルダ０１」）とが出力画像表示領域ＴＡ１に示される。
【００８８】
以上の動作によれば、ジョブ履歴画面ＪＧ２１（図７参照）を通じて、入力画像ＳＧ１（「画像０１」）に対して画像処理ＧＰ２（「高彩度」）が施されて出力画像ＴＧ１（「画像１１」）が生成されたことを操作者に認識させることが可能である。換言すれば、操作者は、選択された入力画像ＳＧ１と当該入力画像ＳＧ１に対して施された画像処理ＧＰ２と当該入力画像ＳＧ１に対して当該画像処理ＧＰ２が施されて生成された出力画像ＴＧ１との関係を容易に認識することが可能である。そして、この認識内容に基づき、画像処理ジョブＪＢの履歴を有効に活用することが可能である。
【００８９】
たとえば、実行済みの画像処理ジョブＪＢにおいて入力画像ＳＧ１に基づき生成された出力画像ＴＧの中から活用可能な画像を操作者が探す際に、当該操作者は、ジョブ履歴画面ＪＧ（ＪＧ２１）を通じて、入力画像ＳＧ（ＳＧ１）に対して画像処理ＧＰ（ＧＰ２）が施されて出力画像ＴＧ（ＴＧ１）が生成されたことを認識し得る。ここで、出力画像ＴＧ（ＴＧ１）が操作者が探している画像に該当すれば、当該出力画像ＴＧを新たに生成せずとも、既に存在する出力画像ＴＧを再利用することが可能である。換言すれば、出力画像ＴＧを新たに生成する手間が省ける。このように、ジョブ履歴画面ＪＧ（ＪＧ２１）を用いることによれば、画像処理ジョブＪＢの履歴を有効に活用することが可能である。
【００９０】
また、図７に示すジョブ履歴画面ＪＧ１においては、出力画像ＴＧ１（「画像１１」）が格納先ＳＴ（「フォルダ０１」）に格納されていることが示される。したがって、出力画像ＴＧ（ＴＧ１）を再利用する際に、操作者は、当該出力画像ＴＧ（ＴＧ１）に対して容易にアクセスすることが可能である。
【００９１】
なお、ここでは、第１実施形態と同様に、入力画像ＳＧ１に対して単一の画像処理ＧＰ２（「高彩度」）が施される場合を例示したが、これに限定されない。たとえば、第２実施形態と同様に、入力画像ＳＧ１に対して複数の画像処理ＧＰ２（「高彩度」），ＧＰ３（「トリミング」）が施されている場合にも、この第３実施形態の思想を適用することが可能である。
【００９２】
以下、このような変形例について説明する。
【００９３】
まず、ＭＦＰ１０の操作パネルＰＮを介してジョブ履歴画面ＪＧの表示指示が受け付けられると、表示制御部９３は、図８に示すジョブ履歴画面ＪＧ（ＪＧ２２）を当該操作パネルＰＮに表示する。
【００９４】
図８に示すように、ジョブ履歴画面ＪＧ２２においては、第３実施形態と同様に、タブ画面ＴＢ１内の上部に入力画像対応ボックスＮＢ１が表示される。また、当該入力画像対応ボックスＮＢ１の左下に出力画像対応ボックスＭＢ２１が表示され、当該入力画像対応ボックスＮＢ１の右下に出力画像対応ボックスＭＢ２２が表示される。また、入力画像対応ボックスＮＢ１と出力画像対応ボックスＭＢ２１とが線で結ばれた状態で表示されるとともに、当該入力画像対応ボックスＮＢ１と出力画像対応ボックスＭＢ２２とが線で結ばれた状態で表示される。
【００９５】
入力画像対応ボックスＮＢ１には、第３実施形態と同様に、入力画像ＳＧ１のファイル名（「画像０１」）が表示される。
【００９６】
出力画像対応ボックスＭＢ２１には、画像処理ＧＰ２の処理名と、出力画像ＴＧ１のファイル名と、格納先ＳＴ１のフォルダ名とがそれぞれ示される。詳細には、画像処理ＧＰ２の処理名（「高彩度」）が画像処理表示領域ＰＡ１１に示され、出力画像ＴＧ１のファイル名（「画像１１」）と当該出力画像ＴＧ１の格納先ＳＴ１のフォルダ名（「フォルダ０１」）とが出力画像表示領域ＴＡ１１に示される。
【００９７】
出力画像対応ボックスＭＢ２２には、画像処理ＧＰ３の処理名と、出力画像ＴＧ２のファイル名と、格納先ＳＴ２のフォルダ名とがそれぞれ示される。詳細には、画像処理ＧＰ３の処理名（「トリミング」）が画像処理表示領域ＰＡ１２に示され、出力画像ＴＧ２のファイル名（「画像１２」）と当該出力画像ＴＧ２の格納先ＳＴ２のフォルダ名（「フォルダ０２」）とが出力画像表示領域ＴＡ１２に示される。
【００９８】
このような表示によれば、図８に示すジョブ履歴画面ＪＧ２２を通じて、入力画像ＳＧ１に対して２種類の画像処理ＧＰ２，ＧＰ３が施されて出力画像ＴＧ１，ＴＧ２が生成され、当該出力画像ＴＧ１，ＴＧ２が格納先ＳＴ１，ＳＴ２にそれぞれ格納されていることを操作者に認識させることが可能である。
【００９９】
また、上述のように、ボタン選択型のジョブ履歴画面ＪＧ１においては、図６に示すように、操作者により選択された入力画像選択用ボタンＢＴ１１に対応づけられた入力画像ＳＧ１の入出力関係を示すボタン等とともに、その他のボタン等も表示される。換言すれば、入力画像ＳＧ１の入出力関係を示すボタン等のみならず、当該入出力関係を示すのに不要なボタン等（入力画像選択用ボタンＢＴ１１，ＢＴ１２，画像処理選択用ボタンＢＴ２１，出力画像選択用ボタンＢＴ３３，格納先表示ボックスＢＸ３）までもが表示される。このような表示においては、画像処理ジョブの履歴全体における入出力関係が単純な場合には様々な情報を把握することが可能であるものの、当該入出力関係が複雑な場合には画面表示が煩雑になるという問題も有る。
【０１００】
これに対して、タブ選択型のジョブ履歴画面ＪＧ２２においては、図８に示すように、複数の入力画像ＳＧに関する入出力関係のうち、被選択タブ画面ＴＢ１に対応づけられた入力画像ＳＧ１に関する一部の入出力関係のみがボックス等によって表示される。したがって、画像処理ジョブの履歴全体における入出力関係が複雑な場合であっても、被選択タブ画面ＴＢ１に対応づけられた入力画像ＳＧ１に関する一部の入出力関係を見易く提示することが可能である。
【０１０１】
＜４．第４実施形態＞
第４実施形態は、第３実施形態の変形例である。以下、第３の実施形態との相違点を中心に説明する。
【０１０２】
この第４実施形態では、タブ選択型のジョブ履歴画面ＪＧを用いて、複数の階層の入出力関係を示す態様を例示する。詳細には、入力画像ＳＧから生成された出力画像ＴＧに対して更なる画像処理ＧＰが施されて新たな出力画像ＴＧが生成され、当該新たな出力画像が新たな格納先に格納されている場合におけるジョブ履歴画面ＪＧの表示態様を例示する。
【０１０３】
この第４実施形態では、第３実施形態と同様に、画像処理ジョブＪＢ１において、入力画像ＳＧ１（「画像０１」）に対して画像処理ＧＰ２（「高彩度（高彩度化処理）」）が施されて出力画像ＴＧ１（「画像１１」）が生成され、当該出力画像ＴＧ１が格納先ＳＴ１（「フォルダ０１」）に格納されている。更に、この第４実施形態では、画像処理ジョブＪＢ４において、出力画像ＴＧ１に対して更なる画像処理ＧＰ３（「トリミング」）が施されて出力画像ＴＧ４（「画像１１１」）が生成され、当該出力画像ＴＧ４が格納先ＳＴ４（「フォルダ０４」）に格納されている。
【０１０４】
このような場合において、ジョブ履歴画面ＪＧの表示指示が受け付けられると、表示制御部９３は、図９に示すジョブ履歴画面ＪＧ２３を当該操作パネルＰＮに表示する。
【０１０５】
図９に示すように、ジョブ履歴画面ＪＧ２３においては、上記第３実施形態と同様に、タブ画面ＴＢ１内の上部に入力画像対応ボックスＮＢ１が表示されるとともに、当該入力画像対応ボックスＮＢ１の下側に出力画像対応ボックスＭＢ２が表示される。さらに、この第４実施形態では、出力画像対応ボックスＭＢ２の下側に出力画像対応ボックスＭＢ３が表示される。また、入力画像対応ボックスＮＢ１と出力画像対応ボックスＭＢ２とが線で結ばれた状態で表示されるとともに、当該出力画像対応ボックスＭＢ２と出力画像対応ボックスＭＢ３とが線で結ばれた状態で表示される。換言すれば、入力画像対応ボックスＮＢ１と出力画像対応ボックスＭＢ２と出力画像対応ボックスＭＢ３とが、上から下に向かって直列に接続されることにより、複数階層の入出力関係が示されている。
【０１０６】
入力画像対応ボックスＮＢ１および出力画像対応ボックスＭＢ２には、上記第３実施形態と同様の内容が表示される。
【０１０７】
出力画像対応ボックスＭＢ３には、画像処理ＧＰ３の処理名と、出力画像ＴＧ４のファイル名と、格納先ＳＴ４のフォルダ名とがそれぞれ示される。詳細には、画像処理ＧＰ３の処理名（「トリミング」）が画像処理表示領域ＰＡ２に示され、出力画像ＴＧ４のファイル名（「画像１１１」）と当該出力画像ＴＧ４の格納先ＳＴ４のフォルダ名（「フォルダ０４」）とが出力画像表示領域ＴＡ２に示される。
【０１０８】
以上の動作によれば、ジョブ履歴画面ＪＧ２３（図９参照）を通じて、入力画像ＳＧ（ＳＧ１）から生成された出力画像ＴＧ（ＴＧ１）に対して更なる画像処理ＧＰ（ＧＰ３）が施されて新たな出力画像ＴＧ（ＴＧ４）が生成され、当該新たな出力画像ＴＧ（ＴＧ４）が新たな格納先ＳＴ（ＳＴ４）に格納されていることを操作者に認識させることが可能である。
【０１０９】
特に、タブ選択型のジョブ履歴画面ＪＧ２３においては、図９に示すように、複数の入力画像ＳＧに関する入出力関係のうち、被選択タブ画面ＴＢ１に対応づけられた入力画像ＳＧ１に関する一部の入出力関係のみがボックス等によって表示される。したがって、画像処理ジョブの履歴全体における入出力関係が複雑な場合であっても、被選択タブ画面ＴＢ１に対応づけられた入力画像ＳＧ１に関する一部の入出力関係を見易く提示することが可能である。
【０１１０】
また特に、タブ選択型のジョブ履歴画面ＪＧ２３を用いることによれば、各タブ画面においてジョブ履歴に関する詳細情報を容易に表示することが可能である。より詳細には、各タブ画面において複数の階層の入出力関係（ここでは、２階層の入出力関係）を容易に示すことが可能である。したがって、操作者は、複数の階層の入出力関係を容易に把握することが可能である。
【０１１１】
＜５．第５実施形態＞
第５実施形態は、第３実施形態の変形例である。以下、第３の実施形態との相違点を中心に説明する。
【０１１２】
この第５実施形態では、複数の入力画像ＳＧを合成する画像処理（画像合成処理）ＧＰが行われて出力画像（合成画像）ＴＧが生成される場合におけるジョブ履歴画面ＪＧの表示態様について説明する。
【０１１３】
この第５実施形態では、入力画像ＳＧ１（「画像０１」）と入力画像ＳＧ３（「画像０３」）とを合成する画像処理（画像合成処理）ＧＰ５が行われて出力画像（合成画像）ＴＧ５（「画像１３」）が生成され、当該出力画像ＴＧ５が格納先ＳＴ５（「フォルダ０５」）に格納されている。
【０１１４】
このような場合において、ジョブ履歴画面ＪＧの表示指示が受け付けられると、表示制御部９３は、図１０に示すジョブ履歴画面ＪＧ２４を当該操作パネルＰＮに表示する。
【０１１５】
図１０に示すように、ジョブ履歴画面ＪＧ２４においては、タブ画面ＴＢ１内の左上に入力画像対応ボックスＮＢ１が表示されるとともに、当該タブ画面ＴＢ１内の右上に入力画像対応ボックスＮＢ２が表示される。さらに、入力画像対応ボックスＮＢ１の下側に出力画像対応ボックスＭＢ２３が表示される。また、入力画像対応ボックスＮＢ１と出力画像対応ボックスＭＢ２３との両者が線で結ばれた状態で表示されるとともに、当該両者を結ぶ線の中間点と入力画像対応ボックスＮＢ２とが線で結ばれた状態で表示される。換言すれば、入力画像対応ボックスＮＢ１と出力画像対応ボックスＭＢ２３とが線で結ばれた状態で表示されるとともに、入力画像対応ボックスＮＢ２と当該出力画像対応ボックスＭＢ２３とが線で結ばれた状態で表示される。
【０１１６】
入力画像対応ボックスＮＢ１には、上記第３実施形態と同様に、入力画像ＳＧ１のファイル名（「画像０１」）が表示される。
【０１１７】
入力画像対応ボックスＮＢ２には、入力画像ＳＧ３のファイル名（「画像０３」）が表示される。
【０１１８】
出力画像対応ボックスＭＢ２３には、画像処理ＧＰ５の処理名と、出力画像ＴＧ５のファイル名と、格納先ＳＴ５のフォルダ名とがそれぞれ表示される。詳細には、画像処理ＧＰ５の処理名（「画像合成」）が画像処理表示領域ＰＡ１３に表示され、出力画像ＴＧ５のファイル名（「画像１３」）と当該出力画像ＴＧ５の格納先ＳＴ５のフォルダ名（「フォルダ０５」）とが出力画像表示領域ＴＡ１３に表示される。
【０１１９】
これによれば、ジョブ履歴画面ＪＧ２４（図１０参照）を通じて、入力画像ＳＧ１（「画像０１」）と入力画像ＳＧ３（「画像０３」）とを合成する画像処理ＧＰ５（「画像合成」）が行われて出力画像（合成画像）ＴＧ５（「画像１３」）が生成され、当該出力画像ＴＧ５が格納先ＳＴ５（「フォルダ０５」）に格納されていることを操作者に認識させることが可能である。
【０１２０】
特に、タブ選択型のジョブ履歴画面ＪＧ２４においては、図１０に示すように、複数の入力画像ＳＧに関する入出力関係のうち、被選択タブ画面ＴＢ１に対応づけられた入力画像ＳＧ１に関する一部の入出力関係のみがボックス等によって表示される。したがって、画像処理ジョブの履歴全体における入出力関係が複雑な場合であっても、被選択タブ画面ＴＢ１に対応づけられた入力画像ＳＧ１に関する一部の入出力関係を見易く提示することが可能である。
【０１２１】
＜６．第６実施形態＞
第６実施形態は、上記各実施形態の変形例である。
【０１２２】
この第６実施形態では、ボタン選択型のジョブ履歴画面ＪＧ（図３、図４および図６参照）とタブ選択型のジョブ履歴画面ＪＧ（図７〜図１０参照）とを選択的に表示する場合を例示する。より詳細には、入出力関係の複雑さに応じて、異なる２つの形式の画面（ボタン選択型のジョブ履歴画面、およびタブ選択型のジョブ履歴画面）のうちから選択された画面が、ジョブ履歴画面として表示される。
【０１２３】
図１１は、この第６実施形態に係るＭＦＰ１０の動作を示すフローチャートである。以下、図１１のフローチャートを参照しつつ、ＭＦＰ１０の動作を説明する。
【０１２４】
ステップＳ１１において、ジョブ履歴画面ＪＧの表示指示が受け付けられると（ステップＳ１１においてＹＥＳと判定されると）、処理はステップＳ１２に進む。
【０１２５】
ステップＳ１２において、表示制御部９３は、初期画面として図３に示すボタン選択型のジョブ履歴画面ＪＧ１を操作パネルＰＮに表示する。この初期画面においては、入力画像ＳＧの選択操作が受け付けられる。この初期画面における入力画像ＳＧの選択操作に応じて、ボタン選択型のジョブ履歴画面とタブ選択型のジョブ履歴画面とのいずれか一方が、ジョブ履歴画面ＪＧとして選択される。
【０１２６】
この後、ＭＦＰ１０は、ボタン選択型のジョブ履歴画面ＪＧ１に対する操作入力を待機する状態（以下、待機状態とも称する）ＷＳに遷移する（ステップＳ１３）。
【０１２７】
上記待機状態ＷＳにおいて、ジョブ履歴画面ＪＧに対する操作入力が受け付けられたと判定（ステップＳ１３においてＹＥＳと判定）されると、処理はステップＳ１４に進む。  そして、ステップＳ１４においては、ステップＳ１３にて受け付けられた操作入力が入力画像選択用ボタンＢＴに対するものであるか否かが判定される。ここで、ステップＳ１３にて受け付けられた操作入力が入力画像選択用ボタンＢＴ以外の部分に対するものであると判定されると、ＭＦＰ１０は、ステップＳ１３に戻る。一方、ステップＳ１３にて受け付けられた操作入力が入力画像選択用ボタンＢＴに対するものであると判定されると、処理はステップＳ１５に進む。
【０１２８】
ステップＳ１５においては、ＭＦＰ１０は、入力画像選択用ボタンＢＴに対応する入力画像ＳＧに対して複数の画像処理が施されているか否かを判定する。
【０１２９】
当該ステップＳ１５において、入力画像選択用ボタンＢＴに対応する入力画像ＳＧに対して複数の画像処理ＧＰが施されていると判定されると、処理はステップＳ１９に進む。たとえば、上記第３実施形態の改変例のように、入力画像ＳＧ１に対して複数の画像処理ＧＰ２，ＧＰ３が施されている場合には、ステップＳ１５でＹＥＳと判定され、処理はステップＳ１９に進む。そして、ステップＳ１９において、表示制御部９３は、ボタン選択型のジョブ履歴画面ＪＧ１（図３参照）に代えてタブ選択型のジョブ履歴画面ＪＧ２２（図８参照）を操作パネルＰＮに表示する。
【０１３０】
一方、ステップＳ１５において、入力画像選択用ボタンＢＴに対応する入力画像ＳＧに対して単一の画像処理ＧＰが施されていると判定されると、処理はステップＳ１６に進む。
【０１３１】
ステップＳ１６においては、ＭＦＰ１０は、入力画像選択用ボタンＢＴに対応する入力画像ＳＧから生成された出力画像ＴＧに対して更なる画像処理ＧＰが施されているか否かを判定する。
【０１３２】
当該ステップＳ１６において、入力画像選択用ボタンＢＴに対応する入力画像ＳＧから生成された出力画像ＴＧに対して更なる画像処理ＧＰが施されていると判定されると、処理はステップＳ１９に進む。たとえば、上記第４実施形態のように、入力画像ＳＧ１から生成された出力画像ＴＧ１１に対して更なる画像処理ＧＰ３が施されている場合には、ステップＳ１６でＹＥＳと判定され、処理はステップＳ１９に進む。そして、ステップＳ１９において、表示制御部９３は、ボタン選択型のジョブ履歴画面ＪＧ１（図３参照）に代えてタブ選択型のジョブ履歴画面ＪＧ２３（図９参照）を操作パネルＰＮに表示する。
【０１３３】
一方、ステップＳ１６において、入力画像選択用ボタンＢＴに対応する入力画像ＳＧから生成された出力画像ＴＧに対して更なる画像処理ＧＰが施されていないと判定されると、処理はステップＳ１７に進む。
【０１３４】
ステップＳ１７においては、ＭＦＰ１０は、入力画像選択用ボタンＢＴに対応する入力画像ＳＧに対して施された画像処理ＧＰが画像合成処理であるか否かを判定する。
【０１３５】
当該ステップＳ１７において、入力画像選択用ボタンＢＴに対応する入力画像ＳＧに対して施された画像処理ＧＰが画像合成処理であると判定されると、ステップＳ１９に進む。たとえば、上記第５実施形態のように、入力画像ＳＧ１に対して施された画像処理が当該入力画像ＳＧ１ともう１つの入力画像ＳＧ３とを合成する画像合成処理である場合には、ステップＳ１７でＹＥＳと判定され、処理はステップＳ１９に進む。そして、ステップＳ１９において、表示制御部９３は、ボタン選択型のジョブ履歴画面ＪＧ１（図３参照）に代えてタブ選択型のジョブ履歴画面ＪＧ２４（図１０参照）を操作パネルＰＮに表示する。
【０１３６】
一方、ステップＳ１７において、入力画像選択用ボタンＢＴに対応する入力画像ＳＧに対して施された画像処理ＧＰが画像合成処理以外の画像処理ＧＰであると判定されると、処理はステップＳ１８に進む。たとえば、上記第１実施形態のように、入力画像ＳＧ１に対して画像合成処理以外の単一の画像処理ＧＰ２のみが施されて単一の出力画像ＴＧ１のみが生成されており、且つ、当該出力画像ＴＧ１に対する画像処理が施されていない場合には、ステップＳ１７でＮＯと判定され、ステップＳ１８に進む。そして、ステップＳ１８においては、表示制御部９３は、ボタン選択型のジョブ履歴画面ＪＧ１の表示を継続する。そして、図４に示すように、表示制御部９３は、第１実施形態と同様に、ジョブ履歴画面ＪＧ１において、入力画像選択用ボタンＢＴ１１と画像処理群選択用ボタンＢＴ２２とを線で結んで表示するとともに、当該画像処理選択用ボタンＢＴ２２と格納先表示ボックスＢＸ１とを線で結んで表示する。
【０１３７】
この第６実施形態では、上記のような動作が行われる。
【０１３８】
さて、上述のように、画像処理ジョブの履歴全体における入出力関係が複雑な場合においては、タブ選択型のジョブ履歴画面ＪＧは、ボタン選択型のジョブ履歴画面ＪＧに比べて、見易い表示を実現することが可能である。
【０１３９】
そのため、入力画像ＳＧに対して複数の画像処理ＧＰが施されている場合においては、タブ選択型のジョブ履歴画面ＪＧ２２（図８参照）が用いられることが好ましい。この第６実施形態では、入力画像ＳＧに対して複数の画像処理ＧＰが施されている場合、ボタン選択型のジョブ履歴画面ＪＧ１（図３参照）に代えてタブ選択型のジョブ履歴画面ＪＧ２２（図８参照）が表示される。したがって、操作者は、入力画像ＳＧに関する入出力関係を容易に把握することが可能である。
【０１４０】
また、入力画像ＳＧから生成された出力画像ＴＧに対して更なる画像処理ＧＰが施されている場合においても、タブ選択型のジョブ履歴画面ＪＧ２３（図９参照）が用いられることが好ましい。この第６実施形態では、入力画像ＳＧから生成された出力画像ＴＧに対して更なる画像処理ＧＰが施されている場合、ボタン選択型のジョブ履歴画面ＪＧ１（図３参照）に代えてタブ選択型のジョブ履歴画面ＪＧ２３（図９参照）が表示される。したがって、操作者は、入力画像ＳＧに関する入出力関係（複数の階層にわたる入出力関係）を容易に把握することが可能である。
【０１４１】
さらに、複数の入力画像ＳＧを合成する画像合成処理ＧＰが行われている場合においても、タブ選択型のジョブ履歴画面ＪＧ２４（図１０参照）が用いられることが好ましい。この第６実施形態では、複数の入力画像ＳＧを合成する画像合成処理ＧＰが行われている場合、ボタン選択型のジョブ履歴画面ＪＧ１（図３参照）に代えてタブ選択型のジョブ履歴画面ＪＧ２４（図１０参照）が表示される。したがって、操作者は、複数の入力画像ＳＧに関する入出力関係をより容易に把握することが可能である。
【０１４２】
＜７．変形例等＞
以上、この発明の実施の形態について説明したが、この発明は上記説明した内容のものに限定されるものではない。
【０１４３】
たとえば、上記第１実施形態では、ジョブ履歴画面ＪＧ１（図３参照）において、入力画像ＳＧ１（「画像０１」）に対応する入力画像選択用ボタンＢＴ１１が選択される場合の表示動作を例示したが、これに限定されない。当該ジョブ履歴画面ＪＧ１（図３参照）において、画像処理ＧＰ２（「高彩度」）に対応する画像処理選択用ボタンＢＴ２２が選択される場合にも、上記第１実施形態の思想を適用することが可能である。
【０１４４】
具体的には、画像処理ＧＰ２（「高彩度（高彩度化処理）」）に対応する画像処理選択用ボタンＢＴ２２が選択されると、図１２に示すようなジョブ履歴画面ＪＧ１が表示されればよい。図１２のジョブ履歴画面ＪＧ１においては、当該画像処理選択用ボタンＢＴ２２と入力画像選択用ボタンＢＴ１１とが線で結ばれて表示され、且つ、当該画像処理選択用ボタンＢＴ２２と出力画像選択用ボタンＢＴ３１（および格納先表示ボックスＢＸ１）とが線で結ばれて表示されている。ここで、入力画像選択用ボタンＢＴ１１は、画像処理ＧＰ２の対象である入力画像ＳＧ１（「画像０１」）に対応するものであり、出力画像選択用ボタンＢＴ３１は、当該画像処理ＧＰ２によって生成された出力画像ＴＧ１（「画像１１」）に対応するものである。
【０１４５】
また、図１２のジョブ履歴画面ＪＧ１においては、画像処理選択用ボタンＢＴ２２の枠線と、入力画像選択用ボタンＢＴ１１の枠線と、出力画像選択用ボタンＢＴ３１の枠線と、格納先表示ボックスＢＸ１の枠線とがそれぞれ太線で表示（強調表示）されている。これによれば、操作者は、選択された画像処理と当該画像処理に関する入出力関係とを容易に認識することが可能である。
【０１４６】
さらに、図１２のジョブ履歴画面ＪＧ１においては、画像処理群領域ＡＲ２を示す枠線が実線（図３参照）から破線（図１２参照）に変更されて表示される。これによれば、操作者は、画像処理選択用ボタンが押下されたことを容易に認識することが可能である。
【０１４７】
また、ジョブ履歴画面ＪＧ１（図３参照）において、出力画像ＴＧ１（「画像１１」）に対応する出力画像選択用ボタンＢＴ３１が選択される場合にも、上記第１実施形態の思想を適用することが可能である。
【０１４８】
具体的には、出力画像ＴＧ１（「画像１１」）に対応する出力画像選択用ボタンＢＴ３１が選択されると、図１３に示すようなジョブ履歴画面ＪＧ１が表示されればよい。図１３のジョブ履歴画面ＪＧ１において、当該出力画像選択用ボタンＢＴ３１（および格納先表示ボックスＢＸ１）と画像処理選択用ボタンＢＴ２２とが線で結ばれて表示され、且つ、当該画像処理選択用ボタンＢＴ２２と入力画像選択用ボタンＢＴ１１とが線で結ばれて表示されている。ここで、画像処理選択用ボタンＢＴ２２は、画像処理ＧＰ２（「高彩度（高彩度化処理）」）に対応するものであり、入力画像選択用ボタンＢＴ１１は、画像処理ＧＰ２の対象である入力画像ＳＧ１（「画像０１」）に対応するものである。
【０１４９】
このような表示によれば、図１３に示すジョブ履歴画面ＪＧ１を通じて、操作者は、選択された出力画像ＴＧ１と当該出力画像ＴＧ１の生成に際して施された画像処理ＧＰ２と当該画像処理ＧＰ２の対象である入力画像ＳＧ１との関係を容易に認識することが可能である。そして、この認識内容に基づき、画像処理ジョブＪＢの履歴を有効に活用することが可能である。
【０１５０】
たとえば、（入力画像ＳＧ１に対して高彩度化処理が施された）出力画像ＴＧ１が操作者の所望の画像ではないが当該所望の画像に類似する場合において、当該操作者が当該出力画像ＴＧ１を特定できる一方で、元の入力画像ＳＧ１を特定できない状況を想定する。すなわち、出力画像ＴＧ１がいずれの入力画像ＳＧから生成された画像であるかを操作者が特定できない状況を想定する。
【０１５１】
このような状況において、ジョブ履歴画面ＪＧ１において、出力画像ＴＧ１に対応する出力画像選択用ボタンＢＴ３１が選択されると、上述のように、当該出力画像ＴＧ１と、当該出力画像ＴＧ１の生成に際して施された画像処理ＧＰ２（高彩度化処理）と、当該高彩度化処理の対象である元の入力画像ＳＧ１との関係が示される。
【０１５２】
したがって、操作者は、出力画像ＴＧ１の元画像（原画像）である入力画像ＳＧ１を容易に特定することができる。そして、操作者は、このようにして特定された入力画像ＳＧ１に対して別途の画像処理（出力画像ＴＧ１の生成に際して施された高彩度化処理における程度とは異なる程度の高彩度化処理、あるいは、元の入力画像ＳＧ１から一部の領域を切り出すトリミング処理等）を施すことによって、所望の画像を容易に得ることが可能である。
【０１５３】
また、図１３のジョブ履歴画面ＪＧ１においては、格納先表示ボックスＢＸ１の枠線と、出力画像選択用ボタンＢＴ３１の枠線と、画像処理選択用ボタンＢＴ２２の枠線と、入力画像選択用ボタンＢＴ１１の枠線とがそれぞれ太線で表示（強調表示）されている。これによれば、操作者は、選択された画像処理と当該画像処理に関する入出力関係とを容易に認識することが可能である。
【０１５４】
さらに、図１３のジョブ履歴画面ＪＧ１においては、出力画像群領域ＡＲ３を示す枠線が実線（図３参照）から破線（図１３参照）に変更されて表示される。これによれば、操作者は、出力画像選択用ボタンが押下されたことを容易に認識することが可能である。
【０１５５】
また、上記第３実施形態では、ジョブ履歴画面ＪＧ２１（図７参照）における複数のタブ画面ＴＢ１，ＴＢ２，ＴＢ３，...が、複数の入力画像ＳＧ１（「画像０１」），ＳＧ２（「画像０２」），ＳＧ３（「画像０３」），...にそれぞれ対応づけられている場合を例示したが、これに限定されない。
【０１５６】
たとえば、図１４に示すように、ジョブ履歴画面ＪＧ２５における複数のタブ画面ＴＢ１，ＴＢ２，ＴＢ３，...が、複数の画像処理ＧＰ１（「枠消し」），ＧＰ２（「高彩度」），ＧＰ３（「トリミング」），...にそれぞれ対応づけられるようにしてもよい。
【０１５７】
あるいは、図１５に示すように、ジョブ履歴画面ＪＧ２６における複数のタブ画面ＴＢ１，ＴＢ２，ＴＢ３，...が、複数の出力画像ＴＧ１（「画像１１」），ＴＧ２（「画像１２」），ＴＧ３（「画像２１」），...にそれぞれ対応づけられるようにしてもよい。そして、ジョブ履歴画面ＪＧ２６における一のタブ画面ＴＢ１内において、当該タブ画面ＴＢ１に対応づけられた出力画像ＴＧ１（「画像１１」）を示すボックスＭＢ２と入力画像ＳＧ１（「画像０１」）を示すボックスＮＢ１との連関が線で表現されるようにしてもよい。入力画像ＳＧ１は、出力画像ＴＧ１の生成に際して施された画像処理ＧＰ２（「高彩度」）の対象画像である。
【０１５８】
また、上記第６実施形態では、ジョブ履歴画面ＪＧの表示指示に応答して、ボタン選択型のジョブ履歴画面ＪＧ１（図３参照）が最初に表示される場合を例示したが、これに限定されない。たとえば、ジョブ履歴画面ＪＧの表示指示に応答して、テキスト表示型のジョブ履歴画面ＪＧ３（図１６参照）が最初に表示されるようにしてもよい。
【０１５９】
図１６に示すように、ジョブ履歴画面ＪＧ３は、各画像処理ジョブＪＢに関する各項目（「Ｎｏ．」、「入力画像」、「画像処理」、「実行結果」）を備えて構成される。項目「Ｎｏ．」には、各画像処理ジョブＪＢを識別するための識別番号が表示される。項目「入力画像」には、各画像処理ジョブＪＢの各入力画像ＳＧのファイル名が表示される。なお、この項目「入力画像」のファイル名は選択可能である。項目「画像処理」には、各画像処理ジョブＪＢの各画像処理ＧＰが表示される。項目「実行結果」には、各画像処理ジョブＪＢの実行結果（「正常」または「エラー」）が表示される。
【０１６０】
このジョブ履歴画面ＪＧ３において、項目「入力画像」内のファイル名が選択されると、ＭＦＰ１０は、当該ファイル名に対応する入力画像ＳＧを特定するようにすればよい。たとえば、ジョブ履歴画面ＪＧ３の一行目のファイル名が選択されると、ＭＦＰ１０は、当該ファイル名（「画像０１」）に対応する入力画像ＳＧ１を特定するようにすればよい。そして、ＭＦＰ１０は、当該入力画像ＳＧ１について図１１のフローチャートのステップＳ１５以降の処理を実行するようにすればよい。
【０１６１】
また、上記第２実施形態では、図６に示すジョブ履歴画面ＪＧ１が表示されるまでの動作を例示したが、これに限定されず、当該ジョブ履歴画面ＪＧ１の表示後、次述の動作が引き続き行われるようにしてもよい。
【０１６２】
具体的には、図６に示すジョブ履歴画面ＪＧにおいて、入力画像選択用ボタンＢＴ１１が再度選択されると、表示制御部９３は、図１７に示すプレビュー表示画面ＰＶを操作パネルＰＮに表示するようにしてもよい。
【０１６３】
図１７に示すように、プレビュー表示画面ＰＶには、入力画像ＳＧ１のプレビュー画像ＶＧが表示される。また、プレビュー表示画面ＰＶには、破線ＣＡ１，ＣＡ２が表示される。破線ＣＡ１で囲まれた領域は、入力画像ＳＧ１に対して画像処理ＧＰ２（「高彩度」）が施されて生成された出力画像ＴＧ１に対応する領域である。破線ＣＡ２で囲まれた領域は、入力画像ＳＧ１に対して画像処理ＧＰ３（「トリミング」）が施されて生成された出力画像ＴＧ１２に対応する領域である。さらに、プレビュー表示画面ＰＶには、吹き出しＦＫ１，ＦＫ２が表示される。吹き出しＦＫ１には、入力画像ＳＧ１に対して施された画像処理ＧＰ２の処理名（「高彩度」）と、出力画像ＴＧ１が格納先ＳＴ１に格納されている旨（「フォルダ０１＞画像１１」）とが表示される。吹き出しＦＫ２には、入力画像ＳＧ１に対して施された画像処理ＧＰ３の処理名（「トリミング」）と、出力画像ＴＧ２が格納先ＳＴ２に格納されている旨（「フォルダ０２＞画像１２」）とが表示される。ここにおいて、破線ＣＡ１および吹き出しＦＫ１は、プレビュー画像ＶＧ内において出力画像ＴＧ１（「画像１１」）に対応する領域を指し示す表示であり、破線ＣＡ２および吹き出しＦＫ２は、プレビュー画像ＶＧ内において出力画像ＴＧ２（「画像１２」）に対応する領域を指し示す表示である。
【０１６４】
このような表示によれば、操作者は、プレビュー表示画面ＰＶを通じて、入力画像ＳＧ１を確認するとともに、出力画像ＴＧ１，出力画像ＴＧ２をも確認することが可能である。また、操作者は、入力画像ＳＧ１に対して施された画像処理ＧＰ２，ＧＰ３をも確認すること、さらには出力画像ＴＧ１，ＴＧ２の格納先ＳＴ１，ＳＴ２をも確認することが可能である。
【０１６５】
また、上記第１実施形態では、図４に示すように、ジョブ履歴画面ＪＧ１において、入力画像選択用ボタンＢＴ１１と画像処理選択用ボタンＢＴ２２と格納先表示ボックスＢＸ１と出力画像選択用ボタンＢＴ３１とを除くボタンおよびボックスがそのまま表示される場合を例示したが、これに限定されない。
【０１６６】
たとえば、図１８に示すように、ジョブ履歴画面ＪＧ１において、入力画像選択用ボタンＢＴ１１と画像処理選択用ボタンＢＴ２２と格納先表示ボックスＢＸ１と出力画像選択用ボタンＢＴ３１とを除くボタンおよびボックスがグレーアウトされた状態で表示されるようにしてもよい。
【０１６７】
また、上記第６実施形態では、図１１のステップＳ１５〜Ｓ１７に係る３つの判定処理の全てが実行される場合を例示したが、これに限定されず、当該３つの判定処理のうち、１つ又は２つの判定処理が実行されるようにしてもよい。
【符号の説明】
【０１６８】
ＡＲ１  入力画像群領域
ＡＲ２  画像処理群領域
ＡＲ３  出力画像群領域
ＣＡ１，ＣＡ２  破線
ＭＢ  出力画像対応ボックス
ＮＢ  入力画像対応ボックス
ＰＶ  プレビュー表示画面
ＳＧ  入力画像
ＳＴ  格納先
ＴＧ  出力画像
ＶＧ  プレビュー
【図１】
2014135644.tif 000003
【図２】
2014135644.tif 000004
【図３】
2014135644.tif 000005
【図４】
2014135644.tif 000006
【図５】
2014135644.tif 000007
【図７】
2014135644.tif 000008
【図８】
2014135644.tif 000009
【図９】
2014135644.tif 000010
【図１０】
2014135644.tif 000011
【図１１】
2014135644.tif 000012
【図１２】
2014135644.tif 000013
【図１３】
2014135644.tif 000014
【図１４】
2014135644.tif 000015
【図１５】
2014135644.tif 000016
【図１６】
2014135644.tif 000017
【図１７】
2014135644.tif 000018
【図６】
2014135644.tif 000019
【図１８】
2014135644.tif 000020